(57)【要約】【課題】着用体の特にショルダーベルトに装着された際に着用者の腕と干渉し難く、ショルダーベルトを含む着用体ベルトに対して強固に安定して固定できるとともに、着用体ベルトを傷つけることなく容易に着脱できる着用体ベルト用収容体を提供する。【解決手段】本発明の収容体１では、第１及び第２の取り付けベルト１０Ａ，１０Ｂの一方が本体１Ａの裏面１ｂに対して重ね合されるときにその一方のベルトの内面１２の内面非係止領域１２Ｂが本体１Ａの裏面１ｂの左右の一方側に位置されるとともに、第１及び第２の取り付けベルト１０Ａ，１０Ｂの他方が本体１Ａの裏面１ｂに対して重ね合されるときにその他方のベルトの内面１２の内面非係止領域１２Ｂが本体１Ａの裏面１ｂの左右の他方側に位置される。【選択図】  図２
2020110286.tif 000002
【特許請求の範囲】
【請求項１】
着用体のショルダーベルトを含む着用体ベルトに着脱自在に装着される収容体であって、
収容空間を内側に形成する本体と、
前記本体を前記着用体ベルトに対して着脱自在に装着するために前記本体の左右両側にそれぞれ設けられ、前記本体の裏面に対して選択的に重ね合わされるとともに、前記本体の裏面に設けられる係止面に係脱自在に係止可能な被係止面を有する第１及び第２の取り付けベルトと、
を備え、
前記第１及び第２の取り付けベルトは、前記本体の裏面と重ね合された状態で前記裏面に対向する内面とその反対側の外面とを有し、前記内面には、前記被係止面を伴う内面係止領域と前記被係止面を伴わない内面非係止領域とが左右に振り分けて配置され、
前記第１及び第２の取り付けベルトの一方が前記本体の裏面に対して重ね合されるときにその一方のベルトの前記内面の前記内面非係止領域が前記本体の裏面の左右の一方側に位置されるとともに、前記第１及び第２の取り付けベルトの他方が前記本体の裏面に対して重ね合されるときにその他方のベルトの前記内面の前記内面非係止領域が前記本体の裏面の左右の他方側に位置されることを特徴とする収容体。
【請求項２】
前記本体の裏面と重ね合される前記第１又は第２の取り付けベルトの前記内面の前記内面非係止領域と前記本体の裏面との間で前記着用体ベルトを挟み込んで保持することを特徴とする請求項１に記載の収容体。
【請求項３】
前記第１及び第２の取り付けベルトは、前記内面の前記被係止面が係脱自在に係止可能な係止面を前記外面に有することを特徴とする請求項２に記載の収容体。
【請求項４】
前記第１及び第２の取り付けベルトの前記外面には、前記係止面を伴う外面係止領域と前記係止面を伴わない外面非係止領域とが左右に振り分けて配置され、
前記内面の前記内面係止領域と正反対側の前記外面の部位に前記外面非係止領域が位置され、前記内面の前記内面非係止領域と正反対側の前記外面の部位に前記外面係止領域が位置されることを特徴とする請求項３に記載の収容体。
【請求項５】
前記第１及び第２の取り付けベルトがその外面の全体にわたって前記係止面を有することを特徴とする請求項３に記載の収容体。
【発明の詳細な説明】
【技術分野】
【０００１】
本発明は、例えば作業用ベストや釣り用ベストなどの着用体に着脱自在に取り付けられる収容体に関し、特に、着用者の肩に纏われるショルダーベルトを含む着用体ベルトに着脱可能な着用体ベルト用収容体に関する。
【背景技術】
【０００２】
上半身に纏う衣服としての着用体は様々な用途に使用されており、また、そのような着用体には、様々な物を収容するためのポーチなどの収容体が着脱自在に取り付けられる場合もある。
【０００３】
例えば、釣りの分野では、釣りで使用される様々な物品（仕掛け、ルアー、ハサミなど）を収容できる収容体（ポーチ）を釣り用ベストなどの着用体のショルダーベルトに着脱自在に装着できるようになっている（例えば非特許文献１参照）。
【先行技術文献】
【特許文献】
【０００４】
【非特許文献１】ダイワ２０１８年カタログ（DAIWA FISHING TACKLE 2018）、１９９頁、ＤＦ−６１０７及びＤＦ−６２０６
【発明の概要】
【発明が解決しようとする課題】
【０００５】
ところで、前述したような収容体を着用体のショルダーベルトに装着する場合には１つの問題が生じ得る。すなわち、図１０に示されるように、釣り用ベスト１００の左右両側にあるショルダーベルト１０２の一方に収容体としてのポーチ１０５を装着した場合には、ポーチ１０５の一部が図示のようにショルダーベルト１０２からベスト１００の外方へ突出する場合があり、このような場合には、例えば、仕掛けをポイントへ投げるキャスティング時に着用者の腕がポーチ１０５と干渉し易くなり、キャスティングがし難くなる。
【０００６】
また、ショルダーベルトに着脱自在に装着できる従来のこのようなショルダーベルト用収容体にあっては、ショルダーベルトに対して安定して固定できず、ガタつき易いものもある。また、着脱が容易でない収容体や、着脱によってショルダーベルトを傷付けてしまい易い形態の収容体も存在する。
【０００７】
本発明は、上記した問題に基づいてなされたものであり、着用体の特にショルダーベルトに装着された際に着用者の腕と干渉し難く、ショルダーベルトを含む着用体ベルトに対して強固に安定して固定できるとともに、着用体ベルトを傷つけることなく容易に着脱できる着用体ベルト用収容体を提供することを目的とする。
【課題を解決するための手段】
【０００８】
上記した課題を解決するために、本発明は、着用体のショルダーベルトを含む着用体ベルトに着脱自在に装着される収容体であって、収容空間を内側に形成する本体と、前記本体を前記着用体ベルトに対して着脱自在に装着するために前記本体の左右両側にそれぞれ設けられ、前記本体の裏面に対して選択的に重ね合わされるとともに、前記本体の裏面に設けられる係止面に係脱自在に係止可能な被係止面を有する第１及び第２の取り付けベルトとを備え、前記第１及び第２の取り付けベルトは、前記本体の裏面と重ね合された状態で前記裏面に対向する内面とその反対側の外面とを有し、前記内面には、前記被係止面を伴う内面係止領域と前記被係止面を伴わない内面非係止領域とが左右に振り分けて配置され、前記第１及び第２の取り付けベルトの一方が前記本体の裏面に対して重ね合されるときにその一方のベルトの前記内面の前記内面非係止領域が前記本体の裏面の左右の一方側に位置されるとともに、前記第１及び第２の取り付けベルトの他方が前記本体の裏面に対して重ね合されるときにその他方のベルトの前記内面の前記内面非係止領域が前記本体の裏面の左右の他方側に位置されることを特徴とする。
【０００９】
上記構成によれば、第１及び第２の取り付けベルトによって収容体を着用体のショルダーベルトを含む着用体ベルトに着脱自在に装着できるだけでなく、第１及び第２の取り付けベルトを本体の裏面に選択的に重ね合わせることにより内面非係止領域を本体の裏面の左右に選択的に位置させることができるため、内面非係止領域によって本体の裏面と取り付けベルトの内面との間に確保される着用体ベルト挿通領域に着用体ベルトを通して取り付けベルトを締結することにより、収容体を着用体ベルトに対して左右のいずれか一方側に片寄らせて装着できる。そのため、収容体を着用体ベルトから着用体の外方へ突出させることなく着用体の内側に片寄らせて位置させた状態で装着でき、したがって、特に収容体がショルダーベルトに装着される場合には、着用者の腕と収容体との干渉を防止できる。すなわち、着用体を着用する着用者は、腕を収容体と干渉させることなく自由に動かすことができる。また、取り付けベルトの内面全体にわたって被係止面を設けるのではなく、被係止面が存在しない内面非係止領域も設けたため、係止力を過度に大きくすることなく、比較的少ない力で収容体を容易に脱着できる。
【００１０】
なお、上記構成において、「着用体」とは、上半身に羽織る衣服の総称であり、その用途は特に限定されない。また、上記構成において、「ショルダーベルト」とは、着用者の肩に纏われる或いは着用者の肩に掛け渡される着用体の帯状の部位の総称であり、着用体と一体のもの或いは着用体と別体を成して着用体に取り付けられるものも含む。また、上記構成において、「着用体ベルト」とは、ショルダーベルト、及び、ショルダーベルト以外のウエストベルトなど、着用体に一体に又は別体として設けられるあらゆるベルトを含む。また、上記構成において、「取り付けベルト」は、ショルダーベルトの周囲の少なくとも一部にわたって延在してショルダーベルトを収容体の本体との間で挟み込んで保持できる形態であれば、帯状など、どのような形態のものであってもよい。また、上記構成において、互いに係脱可能に係止される「係止面」及び「被係止面」の形態としては、様々な形態を想定し得るが、例えば、ループ部（雌部）の配列を伴う係止面とフック部（雄部）の配列を伴う係止面との組み合わせから成る面ファスナが好適である。無論、マグネットやボタンなどが「係止面」及び「被係止面」として採用されてもよい。
【００１１】
また、上記構成では、本体の裏面と重ね合される第１又は第２の取り付けベルトの内面の内面非係止領域と本体の裏面との間で着用体ベルトを挟み込んで保持することが好ましい。これによれば、着用体ベルトを保持する領域に被係止面が存在しないため、着用体ベルトが係止面及び被係止面の両方によって過度に押し付けられることを防止でき、着用体ベルトの損傷を抑制できる。
【００１２】
また、上記構成において、第１及び第２の取り付けベルトは、内面の被係止面が係脱自在に係止可能な係止面を外面に有することが好ましい。このような構成によれば、一方の取り付けベルトの内面の内面非係止領域と本体の裏面との間で着用体ベルトを挟み込んで保持した状態で、更に、他方の取り付けベルトを前記一方の取り付けベルト上に重ね合わせるように締結して着用体ベルトを保持する保持力を高めることができるため、収容体を着用体ベルトに対して強固に安定して固定できるとともに、着用体ベルトに対して収容体がガタつくような事態も回避できる。
【００１３】
また、上記構成において、第１及び第２の取り付けベルトの外面には、係止面を伴う外面係止領域と係止面を伴わない外面非係止領域とが左右に振り分けて配置され、内面の内面係止領域と正反対側の外面の部位に外面非係止領域が位置され、内面の内面非係止領域と正反対側の外面の部位に外面係止領域が位置されることが好ましい。このような構成によれば、互いに重ね合わされて係止される取り付けベルト同士の間（接触面間）に被係止面及び係止面の両方が存在しない領域を形成でき、それにより、被係止面及び／又は係止面との接触によって着用体ベルトが損傷することを防止できる一方で、着用体ベルトと取り付けベルトとの接触面積も増大するため、収容体が着用体ベルトから滑り難くなる。しかしながら、勿論、第１及び第２の取り付けベルトがその外面の全体にわたって係止面を有していても構わない。
【発明の効果】
【００１４】
本発明によれば、着用体の特にショルダーベルトに装着された際に着用者の腕と干渉し難く、ショルダーベルトを含む着用体ベルトに対して強固に安定して固定できるとともに、着用体ベルトを傷つけることなく容易に着脱できる着用体ベルト用収容体が得られる。
【図面の簡単な説明】
【００１５】
【図１】本発明の一実施形態に係る収容体を表面側から見た斜視図である。
【図２】着用体の右側のショルダーベルトに図１の収容体を装着する場合の収容体の裏面側の概略図であり、（ａ）はショルダーベルトを収容体本体の裏面の右側に位置させて取り付けベルトを展開させた状態を示し、（ｂ）は（ａ）の状態から取り付けベルトを締結させようとしている状態を示す。
【図３】着用体の左側のショルダーベルトに図１の収容体を装着する場合の収容体の裏面側の概略図であり、（ａ）はショルダーベルトを収容体本体の裏面の左側に位置させて取り付けベルトを展開させた状態を示し、（ｂ）は（ａ）の状態から図２の場合と逆の重ね合わせ形態で取り付けベルトを締結させようとしている状態を示す。
【図４】図２に示されるように着用体の右側のショルダーベルトに図１の収容体を装着した状態を示す収容体及び着用体の全体正面図である。
【図５】図３に示されるように着用体の左側のショルダーベルトに図１の収容体を装着した状態を示す収容体及び着用体の全体正面図である。
【図６】（ａ）は、図２及び図３の収容体を裏面側から見た収容体本体の裏面及び展開状態の取り付けベルトの内面の平面図、（ｂ）は、図２及び図３の収容体を表面側から見た収容体本体の表面及び展開状態の取り付けベルトの外面の平面図である。
【図７】（ａ）は、第１の変形例に係る収容体を裏面側から見た収容体本体の裏面及び展開状態の取り付けベルトの内面の平面図、（ｂ）は、第１の変形例に係る収容体を表面側から見た収容体本体の表面及び展開状態の取り付けベルトの外面の平面図である。
【図８】（ａ）は、第２の変形例に係る収容体を裏面側から見た収容体本体の裏面及び展開状態の取り付けベルトの内面の平面図、（ｂ）は、第２の変形例に係る収容体を表面側から見た収容体本体の表面及び展開状態の取り付けベルトの外面の平面図である。
【図９】収容体の別の使用態様を示す図２に対応する図であり、（ａ）は収容体の本体の裏面にアダプタを配置しようとしている状態を示し、（ｂ）は収容体の本体の裏面にアダプタを配置し且つアダプタの中央のベルト挿通穴にショルダーベルトを挿通してショルダーベルトを収容体の本体の裏面の中央に位置させた状態で取り付けベルトを締結させようとしている状態を示し、（ｃ）はアダプタの平面図を示す。
【図１０】着用体の右側のショルダーベルトに従来の収容体を装着した状態を示す収容体及び着用体の全体正面図である。
【発明を実施するための形態】
【００１６】
以下、添付図面を参照しながら、本発明に係る着用体ベルト用収容体の一実施形態について具体的に説明する。
なお、以下では、収容体が装着される着用体として釣り用ベストが例示され、着用体が備える着用体ベルトとしてショルダーベルトが例示されるが、収容体が装着される着用体及び着用体ベルトはこれに限定されず、例えば、作業ベスト、防寒用やファッション用の衣服、ライフジャケット（フローティングベスト）などの様々な着用体に対して収容体を装着でき、また、ショルダーベルト以外の他の着用体ベルト、例えばウエストベルトに対して収容体を（例えばウエストポーチとして）着脱できる。
【００１７】
まず初めに、図１に示される本実施形態の収容体１が装着される着用体としての釣り用ベスト５０について簡単に説明する。この釣り用ベスト５０は、図４及び図５に示されるように構成される本体５０Ａを有し、この本体５０Ａは、例えば、ナイロン、ポリエステル等の素材によって縫製されており、左右の前身頃５２Ａ，５２Ｂと後身頃５３とを備え、これらの身頃５２Ａ，５２Ｂ，５３は、左右のショルダーベルト５５ａ，５５ｂ及び左右のウエスト部（連結部）５６ａ，５６ｂを介して一体化されている。そして、左右のショルダーベルト５５ａ，５５ｂと左右のウエスト部５６ａ，５６ｂとの間には、着用者の腕を通す開口５７ａ，５７ｂが形成されるとともに、左右の前身頃５２Ａ，５２Ｂの前面側中央には、両前身頃を連結するファスナ５８が縫着されている。また、各前身頃５２Ａ，５２Ｂの表面には、ファスナ等によって開閉される複数のポケット５９が縫着されている。なお、釣り用ベスト５０がフローティングベストとして使用される場合には、本体５０Ａ内の適所に浮力材（図示せず）が組み込まれる。
【００１８】
続いて、図１〜図３を参照して、本実施形態の収容体１について説明する。
本実施形態の収容体１は、前述した釣り用ベスト５０のショルダーベルト５５ａ，５５ｂに着脱自在に装着されるようになっており、図１に示されるように表面１ａとその反対側の裏面１ｂとを有して内側に収容空間を形成する袋状体（ポーチ）としての本体１Ａを有する。なお、この本体１Ａには、その上端部に、内側の収容空間を開閉するためのファスナ２が設けられる。
【００１９】
図２及び図３に示されるように、収容体１の本体１Ａには、左右両側にそれぞれ、本体１Ａをショルダーベルト５５ａ，５５ｂに対して着脱自在に装着するための第１及び第２の取り付けベルト１０Ａ，１０Ｂが設けられる（本実施形態では、本体１Ａに縫着される）。ここで、図２は、釣り用ベスト（着用体）５０の右側のショルダーベルト５５ｂに収容体１を装着する場合の収容体１の裏面１ｂ側の概略図であり、図２の（ａ）は、ショルダーベルト５５ｂを収容体本体１Ａの裏面１ｂの右側に位置させて取り付けベルト１０Ａ，１０Ｂを展開させた状態を示し、図２の（ｂ）は、図２の（ａ）の状態から取り付けベルト１０Ａ，１０Ｂを締結させようとしている状態を示す。一方、図３は、釣り用ベスト（着用体）５０の左側のショルダーベルト５５ａに収容体１を装着する場合の収容体１の裏面１ｂ側の概略図であり、図３の（ａ）は、ショルダーベルト５５ａを収容体本体１Ａの裏面１ｂの左側に位置させて取り付けベルト１０Ａ，１０Ｂを展開させた状態を示し、図３の（ｂ）は、図３の（ａ）の状態から図２の場合と逆の重ね合わせ形態で取り付けベルト１０Ａ，１０Ｂを締結させようとしている状態を示す。これらの図から分かるように、本実施形態の取り付けベルト１０Ａ，１０Ｂは、観音開きの形態を成して展開状態と締結状態との間で開閉可能になっている。
【００２０】
また、第１及び第２の取り付けベルト１０Ａ，１０Ｂは、本体１Ａの裏面１ｂに対して選択的に重ね合わされるようになっており（図２の（ｂ）及び図３の（ｂ）参照）、本体１Ａの裏面１ｂに設けられる係止面（交差斜線で示される）２０に係脱自在に係止可能な被係止面（斜線で示される）２２を有する。この場合、係止面２０及び被係止面２２は、本実施形態では、面ファスナによって構成されている。特に、本実施形態では、係止面２０がループ部（雌部）の配列を伴う面ファスナとして形成され、被係止面２２がフック部（雄部）の配列を伴う面ファスナとして形成される。
【００２１】
具体的には、第１及び第２の取り付けベルト１０Ａ，１０Ｂは、本体１Ａの裏面１ｂと重ね合された状態で裏面１ｂに対向する内面１２とその反対側の外面１４とを有し、内面１２には、被係止面２２を伴う内面係止領域１２Ａと被係止面２２を伴わない内面非係止領域１２Ｂとが左右に振り分けて配置される（図６の（ａ）も参照）。特に、本実施形態において、表面１ａの側から見て右側に位置される第１の取り付けベルト１０Ａは、内面１２側から見ると、本体１Ａに近いその内面１２の右側部位に内面非係止領域１２Ｂを有し、本体１Ａから遠いその内面１２の左側部位に内面係止領域１２Ａを有する。一方、表面１ａの側から見て左側に位置される第２の取り付けベルト１０Ｂは、内面１２側から見ると、本体１Ａに近いその内面１２の左側部位に内面非係止領域１２Ｂを有し、本体１Ａから遠いその内面１２の右側部位に内面係止領域１２Ａを有する。
【００２２】
したがって、このような領域の配置形態によれば、図２の（ｂ）に示されるように第２の取り付けベルト１０Ｂが本体１Ａの裏面１ｂに対して重ね合されると、この第２の取り付けベルト１０Ｂの内面１２の内面非係止領域１２Ｂが本体１の裏面１ｂの右側に位置され、一方、図３の（ｂ）に示されるように第１の取り付けベルト１０Ａが本体１の裏面１ｂに対して重ね合されると、この第１の取り付けベルト１０Ａの内面１２の内面非係止領域１２Ｂが本体１の裏面１ｂの左側に位置される。
【００２３】
また、本実施形態において、第１及び第２の取り付けベルト１０Ａ，１０Ｂは、その内面１２の被係止面２２が係脱自在に係止可能な係止面２０を外面１４に有する。この場合、外面１４には、係止面２０を伴う外面係止領域１４Ａと係止面２０を伴わない外面非係止領域１４Ｂとが左右に振り分けて配置される（図６の（ｂ）も参照）。特に、本実施形態において、表面１ａの側から見て右側に位置される第１の取り付けベルト１０Ａは、外面１４側から見ると、本体１Ａに近いその外面１４の左側部位に外面係止領域１４Ａを有し、本体１Ａから遠いその外面１４の右側部位に外面非係止領域１４Ｂを有する。一方、表面１ａの側から見て左側に位置される第２の取り付けベルト１０Ｂは、外面１４側から見ると、本体１Ａに近いその外面１４の右側部位に外面係止領域１４Ａを有し、本体１Ａから遠いその外面１４の左側部位に外面非係止領域１４Ｂを有する。つまり、本実施形態の第１及び第２の取り付けベルト１０Ａ，１０Ｂでは、内面１２の内面係止領域１２Ａと正反対側の外面１４の部位に外面非係止領域１４Ｂが位置され、内面１２の内面非係止領域１２Ｂと正反対側の外面１４の部位に外面係止領域１４Ａが位置されている。
【００２４】
次に、以上のように構成される収容体１を釣り用ベスト５０のショルダーベルト５５ａ，５５ｂに対して選択的に装着する場合について説明する。
収容体１を釣り用ベスト５０の右側のショルダーベルト５５ｂに装着する場合には、まず、図２の（ａ）に示されるように、取り付けベルト１０Ａ，１０Ｂを展開させた状態で、ショルダーベルト５５ｂを本体１Ａの裏面１ｂの右側に位置させる。続いて、この状態で、図２の（ｂ）に示されるように、第２の取り付けベルト１０Ｂを最初に折り畳んで本体１Ａの裏面１ｂ上に重ね合わせる。このとき、第２の取り付けベルト１０Ｂの内面１２の内面非係止領域１２Ｂと本体１Ａの裏面１ｂ（係止面２０）との間でショルダーベルト５５ｂが挟み込まれて保持されるとともに、第２の取り付けベルト１０Ｂの内面１２の内面係止領域１２Ａの被係止面２２が本体１Ａの裏面１ｂ上の係止面２０に係止される。続いて、第１の取り付けベルト１０Ａを折り畳んで第２の取り付けベルト１０Ｂ上に重ね合わせる。このとき、第１の取り付けベルト１０Ａの内面１２の内面非係止領域１２Ｂが第２の取り付けベルト１０Ｂの外面１４の外面非係止領域１４Ｂと対向してその上に重ね合わされる（これにより、取り付けベルト１０Ａ，１０Ｂ同士の間（接触面間）に被係止面２２及び係止面２０の両方が存在しない領域が形成される）とともに、第１の取り付けベルト１０Ａの内面１２の内面係止領域１２Ａの被係止面２２が第２の取り付けベルト１０Ｂの外面１４の外面係止領域１４Ａの係止面２０に係止される。
【００２５】
このようにして収容体１を釣り用ベスト５０の右側のショルダーベルト５５ｂに装着した状態を釣り用ベスト５０の正面側から見ると、図４に示されるようになる。図示のように、収容体１は、ショルダーベルト５５ｂに対して右側に片寄って装着される。すなわち、この装着形態によれば、収容体１をショルダーベルト５５ｂから釣り用ベスト５０の左側外方へ突出させることなく釣り用ベスト５０の内側（右側）に片寄らせて位置させた状態で装着できる。
【００２６】
一方、収容体１を釣り用ベスト５０の左側のショルダーベルト５５ａに装着する場合には、まず、図３の（ａ）に示されるように、取り付けベルト１０Ａ，１０Ｂを展開させた状態で、ショルダーベルト５５ａを本体１Ａの裏面１ｂの左側に位置させる。続いて、この状態で、図３の（ｂ）に示されるように、第１の取り付けベルト１０Ａを最初に折り畳んで本体１Ａの裏面１ｂ上に重ね合わせる。このとき、第１の取り付けベルト１０Ａの内面１２の内面非係止領域１２Ｂと本体１Ａの裏面１ｂ（係止面２０）との間でショルダーベルト５５ａが挟み込まれて保持されるとともに、第１の取り付けベルト１０Ａの内面１２の内面係止領域１２Ａの被係止面２２が本体１Ａの裏面１ｂ上の係止面２０に係止される。続いて、第２の取り付けベルト１０Ｂを折り畳んで第１の取り付けベルト１０Ａ上に重ね合わせる。このとき、第２の取り付けベルト１０Ｂの内面１２の内面非係止領域１２Ｂが第１の取り付けベルト１０Ａの外面１４の外面非係止領域１４Ｂと対向してその上に重ね合わされる（これにより、取り付けベルト１０Ａ，１０Ｂ同士の間（接触面間）に被係止面２２及び係止面２０の両方が存在しない領域が形成される）とともに、第２の取り付けベルト１０Ｂの内面１２の内面係止領域１２Ａの被係止面２２が第１の取り付けベルト１０Ａの外面１４の外面係止領域１４Ａの係止面２０に係止される。
【００２７】
このようにして収容体１を釣り用ベスト５０の左側のショルダーベルト５５ａに装着した状態を釣り用ベスト５０の正面側から見ると、図５に示されるようになる。図示のように、収容体１は、ショルダーベルト５５ａに対して左側に片寄って装着される。すなわち、この装着形態によれば、収容体１をショルダーベルト５５ａから釣り用ベスト５０の右側外方へ突出させることなく釣り用ベスト５０の内側（左側）に片寄らせて位置させた状態で装着できる。
【００２８】
以上説明したように、本実施形態によれば、第１及び第２の取り付けベルト１０Ａ，１０Ｂによって収容体１を釣り用ベスト５０のショルダーベルト５５ａ，５５ｂに着脱自在に装着できるだけでなく、第１及び第２の取り付けベルト１０Ａ，１０Ｂを本体１Ａの裏面１ｂに選択的に重ね合わせることにより内面非係止領域１２Ｂを本体１Ａの裏面１ｂの左右に選択的に位置させることができるため、内面非係止領域１２Ｂによって本体１Ａの裏面１ｂと取り付けベルト１０Ａ，１０Ｂの内面１２との間に確保されるショルダーベルト挿通領域にショルダーベルト５５ａ，５５ｂを通して取り付けベルト１０Ａ，１０Ｂを締結することにより、収容体１をショルダーベルト５５ａ，５５ｂに対して左右のいずれか一方側に片寄らせて装着できる。そのため、収容体１をショルダーベルト５５ａ，５５ｂから釣り用ベスト５０の外方へ突出させることなく釣り用ベスト５０の内側に片寄らせて位置させた状態で装着でき、したがって、着用者の腕と収容体１との干渉を防止できる。すなわち、釣り用ベスト５０を着用する着用者は、腕を収容体１と干渉させることなく自由に動かすことができる。また、取り付けベルト１０Ａ，１０Ｂの内面１２の全体にわたって被係止面２２を設けるのではなく、被係止面２２が存在しない内面非係止領域１２Ｂも設けたため、係止力を過度に大きくすることなく、比較的少ない力で収容体１を容易に脱着できる。
【００２９】
また、本実施形態では、本体１Ａの裏面１ｂと重ね合される第１又は第２の取り付けベルト１０Ａ，１０Ｂの内面１２の内面非係止領域１２Ｂと本体１の裏面１ｂとの間でショルダーベルト５５ａ，５５ｂを挟み込んで保持するようにしており、したがって、ショルダーベルト５５ａ，５５ｂを保持する領域に被係止面２２が存在しないため、ショルダーベルト５５ａ，５５ｂが係止面２０及び被係止面２２の両方によって過度に押し付けられることを防止でき、ショルダーベルト５５ａ，５５ｂの損傷を抑制できる。
【００３０】
また、本実施形態において、第１及び第２の取り付けベルト１０Ａ，１０Ｂは、内面１２の被係止面２２が係脱自在に係止可能な係止面２０を外面１４にも有するため、一方の取り付けベルト１０Ａ（１０Ｂ）の内面１２の内面非係止領域１２Ｂと本体１の裏面１ｂとの間でショルダーベルト５５ａ，５５ｂを挟み込んで保持した状態で、更に、他方の取り付けベルト１０Ｂ（１０Ａ）を一方の取り付けベルト１０Ａ（１０Ｂ）上に重ね合わせるように締結してショルダーベルト５５ａ，５５ｂを保持する保持力を高めることができる。そのため、収容体１をショルダーベルト５５ａ，５５ｂに対して強固に安定して固定できるとともに、ショルダーベルト５５ａ，５５ｂに対して収容体１がガタつくような事態も回避できる。
【００３１】
また、本実施形態において、第１及び第２の取り付けベルト１０Ａ，１０Ｂの外面には、係止面２０を伴う外面係止領域１４Ａと係止面２０を伴わない外面非係止領域１２Ｂとが左右に振り分けて配置され、内面１２の内面係止領域１２Ａと正反対側の外面１４の部位に外面非係止領域１４Ｂが位置され、内面１２の内面非係止領域１２Ｂと正反対側の外面１４の部位に外面係止領域１４Ａが位置されているため、互いに重ね合わされて係止される取り付けベルト１０Ａ，１０Ｂ同士の間（接触面間）に被係止面２２及び係止面２０の両方が存在しない領域を形成でき、それにより、被係止面及び／又は係止面との接触によってショルダーベルト５５ａ，５５ｂが損傷することを防止できる一方で、ショルダーベルト５５ａ，５５ｂと取り付けベルト１０Ａ，１０Ｂとの接触面積も増大するため、収容体１がショルダーベルト５５ａ，５５ｂから滑り難くなる。
【００３２】
以上、添付図面に関連して本発明の実施形態を説明してきたが、本発明は、前述した実施形態に限定されず、その要旨を逸脱しない範囲で種々変形して実施できる。例えば、前述した実施形態では、収容体が釣り用ベストに適用されたが、収容体はあらゆるタイプの着用体に対して適用可能である。また、取り付けベルトの内面及び外面に対する係止面及び被係止面の配置形態の任意に設定できる。例えば、図７に示されるように、第１及び第２の取り付けベルト１０Ａ，１０Ｂがその外面１４の全体にわたって係止面２０を有していてもよい。これによれば、収容体の本体と取り付けベルト及び／又は着用体ベルトとの固定強度を高めることができる。或いは、図８に示されるように、第１及び第２の取り付けベルト１０Ａ，１０Ｂ同士を一体に接続するベルト接続部１０Ｃを設けることにより、第１及び第２の取り付けベルト１０Ａ，１０Ｂとベルト接続部１０Ｃとから成る一体型ベルト体１０を収容体１の本体１Ａとは別体のものとし、一体型ベルト体１０を本体１Ａに対して着脱自在に取り付けられるようにしてもよい。この場合、第１及び第２の取り付けベルト１０Ａ，１０Ｂの表裏における係止面２０及び被係止面２２の配置を図７と同様にするとともに、本体１Ａの表面１ａ上に被係止面２２を更に設け、この表面１ａと対向する一体型ベルト体１０のベルト接続部１０Ｃの内面１２に係止面２０を設けるようにしてもよい。これによれば、一体型ベルト体１０のベルト接続部１０Ｃの内面１２の係止面２０を本体１Ａの表面１ａの被係止面２２に対して着脱自在に係脱させることにより、一体型ベルト体１０を収容体１の本体１Ａに着脱自在に取り付けることができる。その結果、ベルト体１０から収容体１の本体１Ａを取り外して本体１Ａ内の物品を容易に取り出すこともでき、また、本体１を他の収容体（例えば、他のタイプの収容体）の本体と交換することも可能になる。
【００３３】
また、前述した実施形態では、収容体１をショルダーベルト５５ａ，５５ｂに対して左右のいずれか一方側に片寄らせて装着できるようになっているが、片寄らせる必要が無い場合には、図９に示されるようなアダプタ９０を付加的に使用することもできる。すなわち、その場合には、図９の（ａ）に示されるように、収容体１の本体１Ａの裏面１ｂに袋状のアダプタ９０を配置し、その後、アダプタ９０の中央のベルト挿通穴（貫通穴）９０ａにショルダーベルト５５ａ（５５ｂ）を挿通してショルダーベルト５５ａ，５５ｂを収容体１の本体１Ａの裏面１ｂの中央に位置させた状態で、図９の（ｂ）に示されるように取り付けベルト１０Ａ，１０Ｂを締結させる。このとき、アダプタ９０の両面に設けられる係止面２０又は被係止面２２と取り付けベルト１０Ａ，１０Ｂの被係止面２２又は係止面２０とが径脱自在に係止する。このようにすると、収容体１をショルダーベルト５５ａ，５５ｂに対して中央に位置決めして装着できる。
【００３４】
また、前述した実施形態では、収容体１に対するショルダーベルト５５ａ，５５ｂの滑りを防止する滑り防止手段を内面非係止領域１２Ｂに設けてもよい。そのような滑り防止手段としては、例えば、内面非係止領域１２Ｂ上に突出して設けられて任意の方向（例えば取り付けベルト１０Ａ，１０Ｂの長手方向）に延びる複数の弾性凸部を挙げることができる。その場合には、複数の弾性凸部によって内面非係止領域１２Ｂの表面性状が凹凸面として形成される。
【符号の説明】
【００３５】
１  収容体
１Ａ  本体
１ａ  表面
１ｂ  裏面
１０Ａ，１０Ｂ  取り付けベルト
１２  内面
１２Ａ  内面係止領域
１２Ｂ  内面被係止領域
１４  外面
１４Ａ  外面係止領域
１４Ｂ  外面被係止領域
２０  係止面
２２  被係止面
５０  釣り用ベスト（着用体）
５５ａ，５５ｂ  ショルダーベルト（着用体ベルト）
【図１】
2020110286.tif 000003
【図２】
2020110286.tif 000004
【図３】
2020110286.tif 000005
【図４】
2020110286.tif 000006
【図５】
2020110286.tif 000007
【図６】
2020110286.tif 000008
【図７】
2020110286.tif 000009
【図８】
2020110286.tif 000010
【図９】
2020110286.tif 000011
【図１０】
2020110286.tif 000012